(57)【要約】【課題】  ポップアップ体の造付けを構造を簡潔にすると共に、仮にも手荒くページを開閉することがあっても、ポップアップ体が破損しない乃至破損し難いポップアップブックを得ること。【解決手段】  表層紙１２と台紙１３とからなる合紙１１の複数枚を各ページの紙葉として有し、任意のページの紙葉における表層紙の一部を台紙に貼着せずにポップアップ体１２１，２２１，３２１，４２１を形成すると共に、そのポップアップ体以外の領域を台紙に貼着してポップアップブックを構成した。【選択図】図１
0003120350.tif 000002
【実用新案登録請求の範囲】
【請求項１】
表層紙と台紙とからなる合紙の複数枚を各ページの紙葉として有し、任意のページの紙葉における表層紙の一部を台紙に貼着せずにポップアップ体を形成すると共に、そのポップアップ体以外の領域を台紙に貼着したことを特徴とするポップアップブック。
【請求項２】
前記ポップアップ体が、それを形成した各紙葉の折目線を跨ぎ、その折目線に関し左右対称に表層紙に形成されている請求項１に記載のポップアップブック。
【考案の詳細な説明】
【技術分野】
【０００１】
本考案は、ポップアップブックに係わり、更に詳しくは、飛び出し絵本のように、ページを開いたときに、ページの全部あるいは一部が突出して、いわゆる３Ｄ表示されるポップアップブックに関している。
【背景技術】
【０００２】
従来、この種のポップアップブックでは、本を開いたときそのページの一部が三次元突出体として現れるポップアップ体は、紙などによってブック本体と別に製作されたあと、ブック本体の関係ページに貼り付けられ、ページを開くと、ポップアップ体が起き上がり、また、ページを閉じると、折り畳まれるようになっている。
【０００３】
このようなポップアップブックは、かなり複雑な立体造形物を作り上げることができるが、製本された後に、立体造形物をその本の該当ページの開閉に伴って起立、折畳みできるように、その立体物を貼着等により組付けるため製作に手間を要するという問題のほか、当該ページの開閉にはかなりの気を遣わないと、ポップアップ体が簡単に破損するおそれがある。このため、幼児向け絵本のように、本人が取扱いに特別な注意を払うことができない使用環境では、ポップアップブックの提供は難しい面があった。
【考案の開示】
【考案が解決しようとする課題】
【０００４】
本考案は、上記のような従来品の問題点に鑑み、ポップアップ体の造付けを構造を簡潔にすると共に、仮にも手荒くページを開閉することがあっても、ポップアップ体が破損しない乃至破損し難い、改良されたポップアップブックを提供することを、その課題とする。
【課題を解決するための手段】
【０００５】
上記課題を解決することを目的としてなされた本考案ポップアップブックの構成は、表層紙と台紙とからなる合紙の複数枚を各ページの紙葉として有し、任意のページの紙葉における表層紙の一部に台紙に貼着せずにポップアップ体を形成すると共に、そのポップアップ体以外の領域を台紙に貼着したことを特徴とするものである。
【考案の効果】
【０００６】
本考案ポップアップブックは、表層紙と台紙とからなる合紙の複数枚を各ページの紙葉として有し、任意のページの紙葉における表層紙の一部に台紙に貼着せずにポップアップ体を形成すると共に、そのポップアップ体以外の領域を台紙に貼着したため、手荒くページを開閉しても、ポップアップ体が破損し難く、また、破損しない。
【考案を実施するための最良の形態】
【０００７】
以下、添付図を参照して、本考案ポップアップブックの実施の形態を説明する。添付図において、図1は本考案ポップアップブックの実施の一形態を示す斜視図、図２は図１の２−２線に沿う拡大断面図、図３は図１に示すポップアップブックのページにあるポップアップ体の斜視図、図４は図３の４−４線に沿う断面図、図５は図１に示すポップアップブックの他のページにあるポップアップ体の斜視図、図６は図４の５−５線に沿う断面図、図７は図１に示すポップアップブックの他のページにあるポップアップ体の斜視図、図８は図４の８−８線に沿う断面図、図９は図１に示すポップアップブックの他のページにあるポップアップ体の斜視図、図１０は図４の１０−１０線に沿う断面図である。
【０００８】
図１及び図２に示すように、本考案ポップアップブックは、各ページを構成する複数の合紙１１ａ〜１１ｆを備えている。各合紙１１ａ〜１１ｆは表層紙１２及び台紙１３からなっている。合紙１１ａは、表紙ページ及び裏表紙ページを構成している。また、合紙１１ｂ〜１１ｆは、二つ折りされていると共に、台紙１３の外表面を互いに貼着されたむせん綴じ状本の形態となっており、各ページを開いたときに、表層紙１２のみが外に露出するようにしている。
【０００９】
合紙１１ａ〜１１ｆのうち、合紙１１ａ〜１１ｅの表層紙１２にはポップアップ体１２１〜４２１が形成されていると共に、ポップアップ体以外の領域を台紙１３に貼着されている。合紙１１ｆの表層紙１２は全体が台紙１３に貼着されている。
【００１０】
合紙１１ｂの表層紙１２には、ページの左側にベッドに寝た少女の絵１２２及び関係するとして「クルミちゃんは、おやすみっていったのに、まだねむれません」という文字１２３がプリントされ、中央には鳥の絵１２４及びこれ関係する「じゃあわたしが、こもりうたをうたってあげる。ピィピピピロロ〜」からなる文字１２５がページの右側にプリントされている。鳥の絵１２４は、嘴がページ折目線１４上に位置するように表層紙１２に描かれ、且つプリントされている。鳥の絵１２４の嘴はポップアップ体１２１として構成されている。
【００１１】
ポップアップ体１２１は、折目線14に関し左右対称に表層紙１２に形成されており、図３及び図４に示すように、上嘴に関係する部分１２６及び下嘴に関係する部分１２７とからなっており、これらの部分１２６，１２７の間にある境界には切れ目が形成され、上嘴部分１２６の上縁及び下嘴部分１２７の下縁には上下折目線１２８，１２９が形成され、中央にはページ折目線１４に沿う中央折目線１３１，１３２が形成されている。表層紙１２の背面におけるポップアップ体１２１以外の領域は台紙１３に貼着されている。
【００１２】
ページを開くと、上下折目線１２８，１２９が谷形に折れ、同時に、各嘴部分１２６，１２７の中央折目線１３１，１３２が山形に折れ、鳥の嘴が突出して、上嘴及び下嘴が開き、また、ページを閉じると、上下折目線１２８，１２９が山形に折れ、中央折目線１３１，１３２がフラットになって、ポップアップ体１２１がページの間に折り畳まれる。
このため、ページを開くと、まずページの左側の絵１２２と文字１２３とが読者の目に入り、これを見ながらページを更に拡げていくと、ポップアップ体１２１である鳥の嘴がページから起立し、且つ嘴が開いて、ページの右側にある文字１２５を喋っている感じを読者に与える。
【００１３】
図５及び図６は他のページにあるポップアップ体を示している。このポップアップ体２２１は蛙の頭からなっている。蛙の絵２２４は、ポップアップ体２２１である蛙頭がページ折目線１４を挟んで左右対称にデザインされていると共に、表層紙１２にプリントされている。図示していないが、ページの右側には、図１〜図5と同様なベットに寝ている少女の絵及び「まだねむれないの。じゃあ、わたしも。」という文字があり、これらが表層紙１２にプリントされている。
【００１４】
ポップアップ体２２１は、蛙頭の目から上唇に関係する上頭部２２６及び下顎に関係する下頭部２２７からなっており、上頭部２２６は、上縁と下縁とを表層紙１２から切り取られ、両側縁には左右折目線２２８が形成され、中央にはページ折目線１４に沿う中央折目線２３１を形成されている。また、下頭部２２７は、上下縁を表層紙１２から切り取られ、両側縁には左右折目線２２９が形成され、中央にはページ折目線１４に沿う中央折目線２３２が形成されている。表層紙１２の背面におけるポップアップ体２２１以外の領域は、台紙１３に貼着されている。
【００１５】
このページを開くと、読者の目がページの右側にプリントされた「まだねむれないの。じゃあ、わたしも。」という文字及び少女の寝ている絵に止まり、ページを更に拡げると、中央折目線２３１，２３２が山形に折れ、左右折目線２２８，２２９が谷形に折れ、蛙の頭が起立して、蛙の口が開き、ページの右側にプリントされた「ゲロゲロゲロロ〜。ピョンゲロロ〜」という言葉を喋っている感じを読者に与える。そして、このページを閉じると、折目線２３１，２３２が谷形に、中央折目線２３１，２３２がフラットになって、ポップアップ体２２１がページの間に折り畳まれる。
【００１６】
図７及び図８は更に他のページにあるポップアップ体を示している。ポップアップ体３２１は犬の上唇からなっている。犬の絵３２４は、その口がページ折目線１４を挟むように左右対称に表層紙１２にデザインされ、プリントされている。ポップアップ体３２１としての犬の上唇は、下縁が表層紙１２から切り抜かれており、上縁には、上折目線３２８を形成され、中央には、ページ折目線１４に沿う中央折目線３３１を形成されている。表層紙１２におけるポップアップ体３２１以外の領域は台紙１３に貼着されている。
【００１７】
このページを開くと、読者の目がページの右側にプリントされた寝ている少女の絵及び犬の絵に対する問いかけである「さいごはボクね」という文字及びに止まり、ページを更に拡げると、上折目線３２８が谷形に、中央折目線３３１が山形に折れて、ポップアップ体３２１である上唇が表層紙１２の上面から起立して、犬の口が開き、ページの右側にプリントされた「わわんわわん、わわんわわん、ウォーン、オン」という言葉を喋っている感じを読者に与える。そして、ページを閉じると、上折目線３２８が山形に折れ、中央折目線３３１がフラットになって、ポップアップ体３２１がページの間に折り畳まれる。
【００１８】
図９及び図１０は更に他のページにあるポップアップ体４２１を示している。このポップアップ体４２１はベッドに眠っている少女の絵４２４の上瞼からなっている。ポップアップ体４２１としての両目の上瞼は表層紙１２から切り抜かれており、上縁には上折目線４２８を形成されてる。この場合も、表層紙１２におけるポップアップ体３２１以外の領域は、台紙１３に貼着されている。
【００１９】
このページを開くと、まず、読者の目が少女の絵４２４の上方にある「うふふ、クルミちゃん、やっとねたかな？」という文字に止まり、少女の絵４２４に右側に隣接して表層紙１２にプリントされた動物達の絵及び「と、おもったら」という文字をたどったあと、ポップアップ体４２１の片方を指で引き起こすと、上折目線４２８が谷形に折れ、ポップアップ体４２１が表層紙１２の上面から上方に起立する、つまり、少女の上瞼を開くことができる。そして、ページを閉じると、折目線４２８がフラットに折れて、少女の上瞼が閉じつつページの間に挟み込まれる。
【００２０】
以上のように構成された本考案ポップアップブックは、読者があるページを開くと、図１乃至図３に示すように、まず各ページにある絵と文字とが読者の目にはいり、これを見ながらページを更に開いていくと、ポップアップ体１２１である鳥の嘴がページから起立し且つ嘴が開いて、ページの右側にある文字１２５にある言葉を喋っている感じを読者に与えることできる。続いて、読者が他のページを開くと、図４〜図１０に示すように、順次に蛙頭の口、犬の口が開いて、これらのポップアップ体２２１，３２１に関係する各ページにプリントされている文字を喋っている感じを読者に与えることができる。そして、読者が更にまた他のページを開くと、ここにある少女の絵４２４に目が止まり、読者はこのページにある絵及びこれに関係する文字に引き込まれ、ポップアップ体４２１である少女の片目を手で引き起こし、瞼を開ける、つまり動物達に見守られて眠りにつく錯覚を読者に与えることができる。
【００２１】
本考案ポップアップブックは、このように、ページを開くごとに、ポップアップ体１２１〜４２１が紙面から起立するため、関係する文と一緒になって、読者は好奇心をそそられ、楽しく読書することができる。
【００２２】
しかも、ページを開いたときに、各ページは、表層紙１２及び台紙１３からなる合紙１１によって構成され、ポップアップ体１２１〜２２１が表層紙１２を切り抜くことによって形成され、表層紙１２がポップアップ体以外の領域を台紙１３に貼着され、ポップアップ体の造付け構造が簡単であるため、機械的強さが高く、各ページが破れ難い。このため、手荒くページを開閉しても、ポップアップ体１２１〜４２１が破れたり、破損したりしない。
【００２３】
そして、ポップアップ体１２１〜３２１は、ページ折目線１４を跨ぎ、折目線14に関し左右対称に合紙に配置されているため、ページを開くと、ポップアップ体１２１〜３２１が確実に起立させることができ、ページを閉じると、ポップアップ体１２１〜３２１を確実に折り畳むことができる。
【００２４】
なお、以上説明した実施の形態は、一つの実施例であって、本考案を逸脱しない範囲の変更、修正などを施すこことができる。例えば、各合紙１１を構成する合紙は、紙素材からなる表層紙１２及び台紙１３からなっているが、合成樹脂シートのような本として使用しうる他の材料から構成してもよい。更に、ポップアップ体１２１〜４２１も、鳥の嘴、蛙頭、犬の口、少女の目等に限らず、物語の展開に合わせた任意の形態に構成することができる。そして、本自体も、幼児に限らず、大人向けに応じた内容のものとし、ポップアップ体もその制作意図に応じた形態を持つものとすることができる。
【図面の簡単な説明】
【００２５】
【図１】本考案ポップアップブックの実施の一形態を示す斜視図。
【図２】図１の２−２線に沿う拡大断面図。
【図３】図１に示すポップアップブックのページにあるポップアップ体の斜視図
【図４】図３の４−４線に沿う断面図。
【図５】図１に示すポップアップブックの他のページにあるポップアップ体の斜視図。
【図６】図４の５−５線に沿う断面図。
【図７】図１に示すポップアップブックの他のページにあるポップアップ体の斜視図。
【図８】図４の８−８線に沿う断面図。
【図９】図１に示すポップアップブックの他のページにあるポップアップ体の斜視図。
【図１０】図４の１０−１０線に沿う断面図。
【符号の説明】
【００２６】
１１          合紙
１２          表層紙
１３          台紙
１４          ページ折目線
１２１          ポップアップ体
１２２          少女の絵
１２３          少女の絵に関連する文字
１２４          鳥の絵
１２５          鳥の絵に関連する文字
１２６          上嘴部分
１２７          下嘴部分
１２８，１２９  上下折目線
１３１，１３２  中央折目線
２２１          ポップアップ体
２２６          上頭部分
２３８，２３９  折目線
２３１，２３２  中央折目線
２３８，２３９  折目線
３２１          ポップアップ体
３２４          犬の絵
３２８          上折目線
３３１          中央折目線
４２１          ポップアップ体
４２４          少女の絵
４２８          上折目線
【図１】
0003120350.tif 000003
【図２】
0003120350.tif 000004
【図３】
0003120350.tif 000005
【図４】
0003120350.tif 000006
【図５】
0003120350.tif 000007
【図６】
0003120350.tif 000008
【図７】
0003120350.tif 000009
【図８】
0003120350.tif 000010
【図９】
0003120350.tif 000011
【図１０】
0003120350.tif 000012